(57)【特許請求の範囲】
【請求項１】
浴室の壁面に取り付けられ第１の上面を有する支持材と、
前記支持材に下面を支持され複数の側端面を有する天板であって、前記複数の側端面の全てが前記壁面および浴槽から水平方向に離間して設けられる天板と、
前記支持材の上方に設けられ前記第１の上面を覆い前記支持材に対して着脱自在とされたカバーと、
を備え、
前記カバーは、前記壁面に接続された傾斜面部と、前記傾斜面部と前記天板との間を接続する立面部と、を有し、
前記傾斜面部と前記立面部との接続部位と、前記壁面と、の間の長さは、前記天板の前記複数の側端面のうち前記壁面に対向する側端面と、前記壁面と、の間の長さよりも長いことを特徴とする浴室用カウンタ。
【請求項２】
前記カバーは、前記カバーが変形することを抑制する変形抑制手段を有することを特徴とする請求項１記載の浴室用カウンタ。
【請求項３】
前記変形抑制手段は、前記カバーの下端が前記第１の上面と当接することで前記カバーが変形することを抑制する構造を有することを特徴とする請求項２記載の浴室用カウンタ。
【請求項４】
前記カバーは、前記天板から前記壁面へ向かって下方へ傾斜した第２の上面を有することを特徴とする請求項１〜３のいずれか１つに記載の浴室用カウンタ。
【請求項５】
前記支持材のうちで前記天板と前記壁面との間に存在する部分の横方向の長さは、前記天板の横方向の長さよりも短いことを特徴とする請求項１〜４のいずれか１つに記載の浴室用カウンタ。
【発明の詳細な説明】
【技術分野】
【０００１】
本発明の態様は、一般的に、浴室の壁に取り付けられる浴室用カウンタに関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成した溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除に手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除に手間がかかるという点においては、改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、清掃性を向上させることができる浴室用カウンタを提供することを目的とする。
【課題を解決するための手段】
【０００８】
第１の発明は、浴室の壁面に取り付けられ第１の上面を有する支持材と、前記支持材に下面を支持され複数の側端面を有する天板であって、前記複数の側端面の全てが前記壁面および浴槽から水平方向に離間して設けられる天板と、前記支持材の上方に設けられ前記第１の上面を覆い前記支持材に対して着脱自在とされたカバーと、を備え、前記カバーは、前記壁面に接続された傾斜面部と、前記傾斜面部と前記天板との間を接続する立面部と、を有し、前記傾斜面部と前記立面部との接続部位と、前記壁面と、の間の長さは、前記天板の前記複数の側端面のうち前記壁面に対向する側端面と、前記壁面と、の間の長さよりも長いことを特徴とする浴室用カウンタである。
【０００９】
この浴室用カウンタによれば、天板の全ての側端面が浴槽および壁面から水平方向に離間しているため、天板と浴槽との間および天板と壁面との間において入隅が形成されることを抑えることができる。
【００１０】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタの見栄えはより良好である。
【００１１】
また、天板の全ての側端面が浴槽および壁面から水平方向に離間しているため、例えば清掃者は、汚れが付着した天板の側端面を端から端まで洗剤およびスポンジなどの清掃用具でより簡単に擦り洗いすることができる。
【００１２】
さらに、浴室用カウンタは、カバーを備える。カバーは、支持材の上方に設けられ、支持材の上面を覆う。そのため、カバーは、支持材の上方から流れてきた水、あるいは支持材の上方から飛散してきた水が支持材の上面にかかることを抑えることができる。これにより、支持材が汚れることを抑えることができる。
【００１３】
例えば、支持材が比較的複雑な構造を有し、支持材の清掃が困難である場合でも、その支持材を清掃する手間を省くことができる。なお、比較的複雑な構造としては、例えば、天板を支える耐荷重性を確保するためのリブが設けられた構造などが挙げられる。また、カバーが支持材から着脱自在とされている。そのため、カバーが汚れた場合には、例えば清掃者は、カバーを支持材から取り外し、十分なスペースを有する場所でカバーをより簡単に清掃することができる。これにより、浴室用カウンタの清掃性を向上させることができる。
【００１４】
第２の発明は、第１の発明において、前記カバーは、前記カバーが変形することを抑制する変形抑制手段を有することを特徴とする浴室用カウンタである。
【００１５】
この浴室用カウンタによれば、カバーが変形抑制手段を有するため、天板の上面に載置されていた例えばシャンプーのボトルなどが、天板の側端面と、壁面と、の間を通してカバーの上面に落下しても、カバーが凹状に変形することを抑えることができる。そのため、水がカバーの上面に溜まりやすくなることを抑制することができる。これにより、カバーの上面が汚れやすくなることを抑制し、カバーを清掃する手間を低減することができる。
【００１６】
第３の発明は、第２の発明において、前記変形抑制手段は、前記カバーの下端が前記第１の上面と当接することで前記カバーが変形することを抑制する構造を有することを特徴とする浴室用カウンタである。
【００１７】
この浴室用カウンタによれば、変形抑制手段は、より簡単な構造でカバーの変形を抑制することができる。
【００１８】
第４の発明は、第１〜３のいずれか１つの発明において、前記カバーは、前記天板から前記壁面へ向かって下方へ傾斜した第２の上面を有することを特徴とする浴室用カウンタである。
【００１９】
この浴室用カウンタによれば、カバーの上面に流れてきた水は、カバーの上面を伝って下方へ流れる。そのため、水がカバーの上面に溜まることを抑制し、カバーを清掃する手間を低減することができる。
【００２２】
第５の発明は、第１〜４のいずれか１つの発明において、前記支持材のうちで前記天板と前記壁面との間に存在する部分の横方向の長さは、前記天板の横方向の長さよりも短いことを特徴とする浴室用カウンタである。
【００２３】
この浴室用カウンタによれば、支持材のうちで天板と壁面との間に存在する部分の横方向の長さを天板の横方向の長さよりも短くするため、支持材の上面を覆うカバーのうち、天板と壁面との間に存在する支持材の上面を覆う部分、すなわち、水がかかりやすい部分の横方向の長さをより短くすることができる。これにより、カバーの上面において水が溜まる面積を小さく抑えて清掃面積を小さく抑えつつ、カバーを小さくすることで、カバーを取り外した際のカバーの清掃性を向上させることができる。
【発明の効果】
【００２４】
本発明の態様によれば、清掃性を向上させることができる浴室用カウンタが提供される。
【図面の簡単な説明】
【００２５】
【図１】本実施形態にかかる浴室用カウンタが設置された浴室を表す模式的斜視図である。
【図２】本実施形態にかかる浴室用カウンタを表す模式的平面図である。
【図３】本実施形態にかかる浴室用カウンタを表す模式的平面図である。
【図４】本実施形態の具体例にかかる浴室用カウンタを表す模式的分解図である。
【図５】本具体例にかかる浴室用カウンタを表す模式的平面図である。
【図６】本具体例にかかる浴室用カウンタを表す模式的断面図である。
【図７】本具体例の支持材を表す模式的平面図である。
【図８】本具体例の第１のカバーを表す模式的平面図である。
【図９】本実施形態の他の具体例にかかる浴室用カウンタを表す模式的断面図である。
【発明を実施するための形態】
【００２６】
以下、本発明の実施の形態について図面を参照しつつ説明する。なお、各図面中、同様の構成要素には同一の符号を付して詳細な説明は適宜省略する。  
図１は、本実施形態にかかる浴室用カウンタが設置された浴室を表す模式的斜視図である。  
図２は、本実施形態にかかる浴室用カウンタを表す模式的平面図である。  
図３は、本実施形態にかかる浴室用カウンタを表す模式的平面図である。  
図２は、図１に表した矢印Ａ１の方向にみたときの浴室用カウンタを表す模式的平面図である。図３は、図１に表した矢印Ａ２の方向にみたときの浴室用カウンタを表す模式的平面図である。
【００２７】
図１〜図３に表したように、本実施形態にかかる浴室用カウンタ３００は、天板３１０と、支持材３２０と、第１のカバー３４０と、第２のカバー３５０と、を備え、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００２８】
第１の壁面１１０には、水栓４００および鏡５００が取り付けられている。水栓４００は、例えば天板３１０の上に載置された洗面器に水を供給する。本願明細書において、「水」には、冷水のみならず、加温されたお湯が含まれる。
【００２９】
支持材３２０は、第１の壁面１１０に取り付けられている。より具体的には、支持材３２０の一端は、第１の壁面１１０に固定されている。支持材３２０の他端は、天板３１０の下面３１７を支持している。
【００３０】
天板３１０は、第１の側端面３１１と、第２の側端面３１２と、第３の側端面３１３と、第４の側端面３１４と、上面３１６と、を有し、支持材３２０により支持されている。図２および図３に表したように、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００３１】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３２】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。
【００３３】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年により傾斜方向が変わらないよう、天板３１０の上面３１６を前方側に下降傾斜させておくことが好ましい。
【００３４】
図３に表したように、支持材３２０の横方向の長さＤ５は、天板３１０の横方向の長さＤ４よりも短い。  
本願明細書において「横方向」とは、水平方向であって壁面１１０に平行な方向をいう。
【００３５】
第１のカバー３４０は、支持材３２０の上方に設けられ、支持材３２０の上面３２２（第１の上面：図４参照）を覆う。第１のカバー３４０は、支持材３２０に取り付けられている。第１のカバー３４０の取付構造の詳細については、後述する。第１のカバー３４０は、支持材３２０に対して着脱自在とされている。第２のカバー３５０は、支持材３２０の下方に設けられ、支持材３２０の下面および支持材３２０の側面を覆う。  
本願明細書中において、「支持材」は、「第２のカバーによって覆われている支持材」を含む。これにより、前述した「第１のカバー３４０は、支持材３２０に対して着脱自在とされている」ことには、「第１のカバー３４０が、第２のカバー３５０に対して着脱自在とされている」ことが含まれる。
【００３６】
本願明細書において、「下方」とは、浴室用カウンタ３００が第１の壁面１１０に取り付けられた状態において、鉛直方向であって天板３１０からみて支持材３２０の側の方向をいう。本願明細書において、「上方」とは、「下方」とは反対の方向をいう。本願明細書において、「前方」とは、浴室用カウンタ３００が第１の壁面１１０に取り付けられた状態において、第１の壁面１１０に垂直な方向であって第１の壁面１１０からみて浴室カウンタ３００の側の方向をいう。本願明細書において、「後方」とは、「前方」とは反対の方向をいう。
【００３７】
本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。  
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００３８】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタ３００の見栄えはより良好である。
【００３９】
また、天板３１０の全ての側端面が浴槽２００、第１の壁面１１０、および第２の壁面１２０から水平方向に離間しているため、例えば清掃者は、汚れが付着した天板の側端面を端から端まで洗剤およびスポンジなどの清掃用具でより簡単に擦り洗いすることができる。
【００４０】
ここで、前述したように、天板３１０の第１の側端面３１１は、第１の壁面１１０から水平方向に離間している。そのため、第１のカバー３４０が設けられていない場合には、第１の側端面３１１が第１の壁面１１０と離間していない場合と比較すると、支持材３２０の上方から流れてきた水、あるいは支持材３２０の上方から飛散してきた水が支持材３２０の上面３２２にかかりやすい。水が支持材３２０の上面３２２にかかると、支持材３２０が汚れることがある。
【００４１】
これに対して、本実施形態にかかる浴室用カウンタ３００は、第１のカバー３４０を備える。前述したように、第１のカバー３４０は、支持材３２０の上方に設けられ、支持材３２０の上面３２２を覆う。そのため、第１のカバー３４０は、支持材３２０の上方から流れてきた水、あるいは支持材３２０の上方から飛散してきた水が支持材３２０の上面３２２にかかることを抑えることができる。これにより、支持材３２０が汚れることを抑えることができる。
【００４２】
例えば、支持材３２０が比較的複雑な構造を有し、支持材３２０の清掃が困難である場合でも、その支持材３２０を清掃する手間を省くことができる。なお、比較的複雑な構造としては、例えば、天板３１０を支える耐荷重性を確保するためのリブ３２６が設けられた構造などが挙げられる（図４参照）。また、前述したように、第１のカバー３４０が支持材３２０から着脱自在とされている。そのため、第１のカバー３４０が汚れた場合には、例えば清掃者は、第１のカバー３４０を支持材３２０から取り外し、十分なスペースを有する場所で第１のカバー３４０をより簡単に清掃することができる。これにより、本実施形態にかかる浴室用カウンタ３００の清掃性を向上させることができる。
【００４３】
また、支持材３２０の横方向の長さＤ５が天板３１０の横方向の長さＤ４よりも短いため、支持材３２０の上面３２２を覆う第１のカバー３４０の横方向の長さをより短くすることができる。これにより、第１のカバー３４０の清掃性を向上させることができる。
【００４４】
次に、本実施形態の具体例にかかる浴室用カウンタについて、図面を参照しつつ説明する。  
図４は、本実施形態の具体例にかかる浴室用カウンタを表す模式的分解図である。  
図５は、本具体例にかかる浴室用カウンタを表す模式的平面図である。  
図６は、本具体例にかかる浴室用カウンタを表す模式的断面図である。  
図５は、図１に表した矢印Ａ３の方向にみたときの本具体例にかかる浴室用カウンタを表す模式的平面図に相当する。図６は、図２に表した切断面Ａ−Ａにおける模式的断面図に相当する。
【００４５】
図４〜図６に表したように、本具体例にかかる浴室用カウンタ３００は、天板３１０と、支持材３２０と、補強材３３０と、第１のカバー３４０と、第２のカバー３５０と、を備える。図６に表したように、支持材３２０の一端は、第１の壁面１１０に固定されている。支持材３２０の他端は、補強材３３０を介して天板３１０の下面３１７を支持している。
【００４６】
支持材３２０は、取付面３２１と、上面３２２と、を有する。上面３２２は、支持面３２２ａと、傾斜面３２２ｂと、を有する。支持面３２２ａは、支持材３２０が第１の壁面１１０に取り付けられた状態において水平方向と略平行である。傾斜面３２２ｂは、支持面３２２ａと取付面３２１とに接続されている。図６に表したように、傾斜面３２２ｂは、支持材３２０が第１の壁面１１０に取り付けられた状態において天板３１０から第１の壁面１１０へ向かって下方へ傾斜した面を有する。
【００４７】
補強材３３０は、支持材３２０と、天板３１０と、の間に設けられている。補強材３３０は、脚部３３１を有し、支持材３２０の支持面３２２ａに載置固定されている。補強材３３０は、天板３１０を支持するとともに天板３１０を補強する。  
天板３１０は、樹脂製であり、上面視で矩形状の下面が開口した箱状に形成され、矩形状の補強材３３０の上面および側周面を囲むようにして、補強材３３０の上に載置される。このように、天板３１０は、支持材３２０によって補強材３３０を介して間接的に支持されてもよいし、支持材３２０によって直接的に支持されてもよい。
【００４８】
本具体例の第１のカバー３４０は、支持材３２０の傾斜面３２２ｂに取り付けられている。第１のカバー３４０は、傾斜面部３４１と、立面部３４２と、を有する。立面部３４２は、傾斜面部３４１と接続され、傾斜面部３４１の縁から傾斜面部３４１に対して略垂直方向に延在している。傾斜面部３４１は、支持材３２０の傾斜面３２２ｂに略沿う形状を有する。図５および図６に表したように、傾斜面部３４１は、第１のカバー３４０が支持材３２０に取り付けられた状態において、天板３１０から第１の壁面１１０へ向かって下方へ傾斜した上面３４１ｃ（第２の上面）を有する。上面３４１ｃは、第１のカバー３４０の横方向における中心部から両端部へ向かって下方へさらに傾斜していてもよい。
【００４９】
第１のカバー３４０は、リブ（変形抑制手段）３４１ｂを有する。リブ３４１ｂは、第１のカバー３４０を補強し、第１のカバー３４０が変形することを抑制する。リブ３４１ｂの下端は、第１のカバー３４０が支持材３２０に取り付けられた状態において、支持材３２０と接触していてもよいし、接触していなくともよい。例えば、第１のカバー３４０は、物が第１のカバー３４０の上面３４１ｃに落下すると撓む。このときに、リブ３４１ｂの下端は、支持材３２０の上面３２２（本具体例では傾斜面３２２ｂ）と当接し、第１のカバー３４０の変形を抑制してもよい。
【００５０】
ここで、支持材３２０に対する第１のカバー３４０の取付構造について、図面を参照しつつ説明する。  
図７は、本具体例の支持材を表す模式的平面図である。  
図８は、本具体例の第１のカバーを表す模式的平面図である。  
図７は、支持材３２０の支持面３２２ａに対して垂直な方向からみたときの支持材３２０を表す模式的平面図である。図８は、図４に表した矢印Ａ４の方向にみたときの第１のカバー３４０を表す模式的平面図である。
【００５１】
図８に表したように、本具体例の第１のカバー３４０は、爪部３４１ａを有する。爪部３４１ａは、第１のカバー３４０の裏面に設けられている。第１のカバー３４０の裏面とは、第１のカバー３４０が支持材３２０に取り付けられた状態において、支持材３２０の傾斜面３２２ｂと対向する面である。図８に表した具体例では、第１のカバー３４０は、複数の爪部３４１ａを有する。
【００５２】
一方で、図７に表したように、本具体例の支持材３２０は、例えばボルトなどの締結部材３２５により第１の壁面１１０に取り付けられている。締結部材３２５は、取付面３２１に設けられた孔（図示せず）を通して第１の壁面１１０に固定される。支持材３２０は、傾斜面３２２ｂに設けられた孔３２３ａを有する。図７に表した具体例では、支持材３２０は、複数の孔３２３ａを有する。
【００５３】
第１のカバー３４０の爪部３４１ａが支持材３２０の孔３２３ａと係合することで、第１のカバー３４０は、支持材３２０の傾斜面３２２ｂに取り付けられる。一方で、例えば清掃者は、第１のカバー３４０を上方へ持ち上げるよう力を加えることで、爪部３４１ａを弾性変形させ、爪部３４１ａと孔３２３ａとの間の係合を解除することにより、第１のカバー３４０を支持材３２０から取り外すことができる。具体的には、使用者は樹脂製の天板３１０を外した後、第１のカバー３４０を取り外す。なお、第１のカバー３４０を取り付ける場合には、第１のカバー３４０を支持材３２０に取り付けた後に、天板３１０を載置すれば良い。  
その他の構造は、図１〜図３に関して前述した浴室用カウンタ３００の構造と同様である。
【００５４】
本具体例によれば、第１のカバー３４０がリブ３４１ｂを有するため、天板３１０の上面３１６に載置されていた例えばシャンプーのボトルなどが、天板３１０の第１の側端面３１１と、第１の壁面１１０と、の間を通して第１のカバー３４０の上面３４１ｃに落下しても、第１のカバー３４０が凹状に変形することを抑えることができる。そのため、水が第１のカバー３４０の上面３４１ｃに溜まりやすくなることを抑制することができる。これにより、第１のカバー３４０の上面３４１ｃが汚れやすくなることを抑制し、第１のカバー３４０を清掃する手間を低減することができる。
【００５５】
前述したように、リブ３４１ｂの下端は、支持材３２０の上面３２２と当接することにより第１のカバー３４０の変形を抑制する。そのため、リブ３４１ｂは、より簡単な構造で第１のカバー３４０の変形を抑制することができる。  
前述したように、第１のカバー３４０の上面３４１ｃは、天板３１０から第１の壁面１１０へ向かって下方へ傾斜している。そのため、第１のカバー３４０の上面３４１ｃに流れてきた水は、上面３４１ｃを伝って下方へ流れる。そのため、水が第１のカバー３４０の上面３４１ｃに溜まることを抑制し、第１のカバー３４０を清掃する手間を低減することができる。
【００５６】
なお、本具体例の第１のカバー３４０は、単一の部品ではなく、複数の部品を有していてもよい。第１のカバー３４０が複数の部品を有する場合には、例えば清掃者は、第１のカバー３４０を支持材３２０からより容易に取り外すことができる。
【００５７】
図９は、本実施形態の他の具体例にかかる浴室用カウンタを表す模式的断面図である。  図９は、図２に表した切断面Ａ−Ａにおける模式的断面図に相当する。
【００５８】
本具体例では、例えば清掃者は、第１のカバー３４０ａを傾けることなく略鉛直方向（略上下方向）に移動させることで、第１のカバー３４０ａを支持材３２０から取り外すことができる。より具体的には、図９に表したように、第１のカバー３４０ａの前後方向の長さＤ６は、天板３１０の第１の側端面３１１と、第１の壁面１１０と、の間の距離（長さ）Ｄ１よりも短い。この場合、図９に表したように、第１のカバー３４０ａの立面部３４２と、天板３１０の第１の側端面３１１と、の間に、水密性を確保するためのパッキン３６０が設けられていてもよい。パッキン３６０は、例えば、ゴム製のものである。これにより、第１のカバー３４０ａの支持材３２０からの取り外しを阻害することがなく、第１のカバー３４０ａの立面部３４２と、天板３１０の第１の側端面３１１と、の間から、水が浸入して支持材３２０の傾斜面３２２ｂにかかることが抑制される。パッキン３６０は、例えば、着脱可能に設けられてもよいし、天板３１０に固定されていてもよい。  
その他の構造は、図４〜図８に関して前述した浴室用カウンタ３００の構造と同様である。
【００５９】
本具体例によれば、例えば清掃者が第１のカバー３４０ａを支持材３２０から取り外す際に、第１のカバー３４０ａを傾けることなく上方へ移動させ、洗いやすい場所まで移動させることができる。これにより、清掃者が第１のカバー３４０ａを移動させる際に、第１のカバー３４０ａの上面３４１ｃに付着している水が支持材３２０に落下する量を抑えることができる。これにより、清掃者が第１のカバー３４０ａを取り外す際に、支持材３２０に付着する水の量を抑えることができる。
【００６０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室用カウンタ３００、支持材３２０、第１のカバー３４０、３４０ａ、および第２のカバー３５０などが備える各要素の形状、寸法、材質、配置などや第１のカバー３４０、３４０ａの設置形態などは、例示したものに限定されるわけではなく適宜変更することができる。例えば、天板３１０は、直接的に支持材３２０で支持されていてもよいし、図４〜図６に関して前述したように補強材３３０を介して間接的に支持材３２０で支持されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１０ 浴室、  １００ 洗い場、  １１０ 第１の壁面、  １２０ 第２の壁面、  ２００ 浴槽、  ２１０ 側面、  ３００ 浴室用カウンタ、  ３１０ 天板、  ３１１ 第１の側端面、  ３１２ 第２の側端面、  ３１３ 第３の側端面、  ３１４ 第４の側端面、  ３１６ 上面、  ３１７ 下面、  ３２０ 支持材、  ３２１ 取付面、  ３２２ 上面、  ３２２ａ 支持面、  ３２２ｂ 傾斜面、  ３２３ａ 孔、  ３２５ 締結部材、  ３３０ 補強材、  ３３１ 脚部、  ３４０、３４０ａ 第１のカバー、  ３４１ 傾斜面部、  ３４１ａ 爪部、  ３２６、３４１ｂ リブ、  ３４１ｃ 上面、  ３４２ 立面部、  ３５０ 第２のカバー、  ３６０ パッキン、  ４００ 水栓、  ５００ 鏡
【図１】
0006547938.tif 000002
【図２】
0006547938.tif 000003
【図３】
0006547938.tif 000004
【図４】
0006547938.tif 000005
【図５】
0006547938.tif 000006
【図６】
0006547938.tif 000007
【図７】
0006547938.tif 000008
【図８】
0006547938.tif 000009
【図９】
0006547938.tif 000010